(57)【要約】【課題】重量シャッターを取り付けるにあたり、取り付け精度がよく、しかも、円滑で作業性よく取り付けられるように構成する。【解決手段】躯体開口部の左右両側面に、左右一対のアングル材８を固定する一方、巻き取りドラム２にシャッターカーテン１を巻装するとともに両端部に支持ブラケット３を軸承してドラムユニットＵを構成し、該ドラムユニットＵを、中央部をフォークリフト１２により持ち上げるとともに、該フォークリフト１２の左右外側部をチェーンブロック１３により吊り上げ状に姿勢調整しながら、支持ブラケット３をアングル材８に固定させる構成とする。【選択図】図７
2008208532.tif 000002
【特許請求の範囲】
【請求項１】
シャッターカーテンが巻装される巻き取りドラムを、躯体開口部の上方に回転自在に支持してなる建築用シャッター装置において、躯体開口部の両側面に、巻き取りドラムを支持する一対の支持部材を固定する一方、巻き取りドラムにシャッターカーテンを巻装したドラムユニットを形成し、該ドラムユニットを、中央部を持ち上げ手段により持ち上げて、該持ち上げ部の左右外側部を吊り上げ状に姿勢調整する調整手段により姿勢調整しながら支持部材に固定するようにした建築用シャッター装置の取り付け方法。
【請求項２】
持ち上げ手段はフォークリフトであり、調整手段はチェーンブロックである請求項１に記載の建築用シャッター装置の取り付け方法。
【請求項３】
ドラムユニットは、巻き取りドラムの両端部に支持ブラケットを相対回転自在に設ける構成とし、これら支持ブラケットを、開口部両側面の支持部材にそれぞれ固定するようにした請求項１または２に記載の建築用シャッター装置の取り付け方法。
【発明の詳細な説明】
【技術分野】
【０００１】
本発明は、建築物の開口部等に設けられる建築用シャッター装置の取り付け方法の技術分野に属するものである。
【背景技術】
【０００２】
一般に、この種建築用シャッターのなかには、広い開口に設けるもののように、シャッターカーテンの左右幅、上下幅ともに大型化した所謂重量シャッター装置があり、このものでは、シャッターカーテンが重いことから、シャッターカーテンを巻装する巻き取りドラムや、該巻き取りドラムを回転駆動する開閉機等の部材装置も大型で重いものになる。このため、建築現場にこのような重量シャッターを設置する場合では、それぞれの部材を設置箇所に持ち上げる作業をクレーン等の吊り上げ手段を用いて行うことがある。しかるに、このような重量シャッター装置を設置するには、前記吊り上げ手段を用いたとしても長時間を要すうえ、位置決めが難しく、作業期限の規制のあるなかで遅延を招くことなく速やかに設置するのは困難であり、問題となっている。
【０００３】
この改善策として、躯体に固定される固定部材（例えば下地材）に、左右一対のブラケットと、これらブラケットに左右両端部が固定され、シャッターカーテンが巻装された巻き取りドラムと、前記ブラケットに取り付けられる開閉機とを予め組み込んだ状態のシャッターユニットを構成し、該シャッターユニットを、クレーンで持ち上げ（吊り上げ）て、前記固定部材を躯体上部に固定する取り付け方法が提唱されている。
【特許文献１】特開平７−２０８０４０号公報
【発明の開示】
【発明が解決しようとする課題】
【０００４】
ところが、前記従来のものでは、ユニット化された部材をクレーンに連結して持ち上げて、躯体のシャッター装置取り付け位置にまで移動させるので、作業時間の短縮を図ることは可能であるが、何れにしてもクレーンを用いて吊り上げる構成であるため、シャッター装置の設置現場が、クレーンのアームを高く上動させる作業が可能な環境であれば前記手法をそのまま用いることができるが、梁や屋根などが既に設置されていて、アームを上動させられないような現場ではこのような手法を用いることはできない。
しかも、前記従来のものは、シャッターユニットの重心を考慮すると、シャッターカーテンが巻装される巻き取りドラム部位が重く、クレーンで吊持したときの自然垂下状態において、固定部材の下端部が上動して傾斜姿勢となることが想定され、図示されているように、固定部材が垂直な姿勢を維持することはできないと考えられる。このように、傾斜姿勢となった状態で吊持された固定部材を躯体垂直面に固定しようとした場合、固定作業の以前の段階で固定部材を躯体垂直面に沿わせるべく固定部材を傾斜姿勢から垂直姿勢に強制的に変姿させなければならず、該変姿作業は、作業者が自力で、しかも、高所で行わなければならないうえ巻き取りユニット自体が重いことから、作業が困難で設置時間の短縮が充分に図れないばかりでなく、多数の作業員による作業が必要になるという問題がある。
さらに、前記従来のものでは、アームに連結されたワイヤを固定部材の長尺方向二箇所に連結して吊持して持ち上げる構成であるため、シャッターユニットの長尺方向の長さが長くなると一層バランスが取りにくく、固定部材を躯体に沿ってセットする高所作業が一層難しくなるという問題があり、これらに本発明の解決すべき課題がある。
【課題を解決するための手段】
【０００５】
本発明は、上記の如き実情に鑑みこれらの課題を解決することを目的として創作されたものであって、請求項１の発明は、シャッターカーテンが巻装される巻き取りドラムを、躯体開口部の上方に回転自在に支持してなる建築用シャッター装置において、躯体開口部の両側面に、巻き取りドラムを支持する一対の支持部材を固定する一方、巻き取りドラムにシャッターカーテンを巻装したドラムユニットを形成し、該ドラムユニットを、中央部を持ち上げ手段により持ち上げて、該持ち上げ部の左右外側部を吊り上げ状に姿勢調整する調整手段により姿勢調整しながら支持部材に固定するようにした建築用シャッター装置の取り付け方法である。
請求項２の発明は、持ち上げ手段はフォークリフトであり、調整手段はチェーンブロックである請求項１に記載の建築用シャッター装置の取り付け方法である。
請求項３の発明は、ドラムユニットは、巻き取りドラムの両端部に支持ブラケットを相対回転自在に設ける構成とし、これら支持ブラケットを、開口部両側面の支持部材にそれぞれ固定するようにした請求項１または２に記載の建築用シャッター装置の取り付け方法である。
【発明の効果】
【０００６】
請求項１の発明とすることにより、ドラムユニットを安定した姿勢でバランスよく上動させることができ、精度よく躯体に取り付けるのを、簡単、かつ、作業性よく行えて作業時間を短縮できる。
請求項２の発明とすることにより、簡単に本発明の取り付け方法を実現することができる。
請求項３の発明とすることにより、シャッター装置の取り付けを一層作業性よく行える。
【発明を実施するための最良の形態】
【０００７】
つぎに、本発明の実施の形態について、図面に基づいて説明する。
図面において、１は建築物に建付けられる重量シャッターのシャッターカーテンであって、該シャッターカーテン１は、左右方向長尺状のスラット１ａを上下方向に複数連装して構成されている。前記シャッターカーテン１は巻き取りドラム２に巻装されており、該巻き取りドラム２は、開口部上部の左右の躯体側面に一体的に設けられる支持ブラケット３に回転自在に支持されるように設定されている。そして、シャッターカーテン１は、支持ブラケット３に設けられ、巻き取りドラム２に連動連結される開閉機４の正逆駆動に伴い、巻き取りドラム２が正逆回転し、これによって、巻き取りドラム２から巻き出し、巻き取りがなされ、シャッターカーテン１の左右両側部が開口部左右両側部の躯体側に配された左右一対のガイドレール５に移動案内を受ける状態で上下昇降動し、開口部の開閉をするように設定されており、これらの基本構成は従来通りとなっている。
尚、６は巻き取りドラム２を収容するシャッターケースである。
【０００８】
そして、前記重量シャッターは、予め工場において、シャッターカーテン１を巻き取りドラム２に巻装し、固定ベルト１ｂにより巻装状態に保持したカーテンユニットＣとして用意され、該カーテンユニットＣが、ガイドレール５等の他の必要な部材とともに車両等に載置されて、工場から設置現場の荷降ろし場所に搬入されるように設定されている。
一方、設置現場のシャッターカーテン１を取り付ける部位であって、開口部を構成する躯体（例えば柱）上部の互いに対向する左右両側面には、予め鉄板からなる上下一対の補助プレート７をそれぞれ埋設し、これら補助プレート７に、支持ブラケット３を支持するためのアングル材８を設けるように設定されている。前記各アングル材８は、Ｌ字形に折曲形成された金属材で構成されており、一方片部８ａを溶着等の固定手段を介して補助プレート７に固定することにより、アングル材８の他方片部８ｂが躯体側面から内側（開口部側）に向けて突出するように設けられている。
【０００９】
そして、前記カーテンユニットＣは、屋外の荷降ろし場所において荷降ろしされるが、本実施の形態では、荷降ろし場所は屋外に設定されており、作業の簡便化を図るため、車両の荷台のカーテンユニットＣの固定ベルト１ｂ装着部にワイヤ９を巻介し、該ワイヤ９をクレーンに連結して荷降ろしされるように設定されている。この場合に、図５に示すように、カーテンユニットＣは、両端部がキャスター付きの移送用台車１０にそれぞれ載置される状態で荷降ろしされるように設定されている。尚、１１はシャッターカーテン１の巻形状に合わせた円弧状の支持部を備えた落下防止台であって、該落下防止台１１は、予め移送用台車１０上に固定部材１１ａを介してセットされている。そして、カーテンユニットＣは、落下防止台１１の上に載せられることで安定した状態で移送用台車１０に載せられることにより、落下防止がなされた状態で、しかも、円滑な移動が行えるよう構成されている。
【００１０】
また、カーテンユニットＣは、前記移送用台車１０に支持された状態において、巻き取りドラム２の両端部に左右一対の支持ブラケット３を組み込むことにより、本発明のドラムユニットＵに形成されるように構成されている。ここで、前記巻き取りドラム２は、回転軸２ａと、該回転軸２ａに外嵌状に設けられ回転軸２ａと一体回転する巻き胴２ｂとを備えて構成されており、回転軸２ａは、巻き胴２ｂの左右両端側から外方に向けて突出するように設定されている。
一方、一対の支持ブラケット３は、それぞれ矩形状のプレート部３ａの上下縁部に躯体側面側に向けて延出する上下係止片３ｂ、３ｃが一体形成されており、プレート部３ａの中央部に、軸受けユニット３ｄが設けられている。前記軸受けユニット３ｄは、巻き取りドラム２の回転軸２ａが連結されることにより、回転軸２ａを回転自在に軸承するように構成されており、これによって、支持ブラケット３は、ドラムユニットＵに組み込まれた状態では、回転軸２ａに対して相対回転自在となるように設定されている。
尚、図１において、図面向かって左側の支持ブラケット３に設けられる軸受けユニット３ｄには従動スプロケット３ｅが設けられており、該従動スプロケット３ｅは、回転軸２ａの左端部に対して一体回転する状態で連結されるように設定されている。
【００１１】
このように構成されたドラムユニットＵは、移送用台車１０に載せた状態で設置現場となるシャッターカーテン１が取り付けられる開口部の下方に移送される。ここで、本実施の形態の設置現場は、梁や柱等が既に設置されていて、前記従来のもの（特許文献１）のようにクレーンのアームを伸ばして設置作業すことができない状況となっている。そこで、本発明が実施された方法に基づいてドラムユニットＵを取り付けることにより、従来のもののように、クレーンを用いることなくドラムユニットＵを取り付けることができ、しかも、取り付け作業を円滑、かつ、作業性よく行うことができて、作業時間の短縮が図れるように設定されている。
【００１２】
つぎに、本発明が実施されたドラムユニットＵの躯体への取り付け方法を説明する。
まず、ドラムユニットＵを、躯体側面（柱の側面）に設けた各アングル材８の直下ではなく、各アングル材８の一方（本実施の形態では、図１の図面向かって手前側）に偏寄した位置にセット（移送）する。そして、図６に示すように、ドラムユニットＵの長尺方向略中央部であって、移送用台車１０のあいだに位置するドラムユニットＵの手前側に本発明の持ち上げ手段に相当するフォークリフト１２を用意し、該フォークリフト１２の作業部１２ａをドラムユニットＵの下側に差し入れて、該作業部１２ａを上動させることによりドラムユニットＵを持ち上げ状に支持する。このとき、作業部１２ａ上には、移送用台車１０の上部にセットした落下防止台１１と同様の落下防止台１１が載置されており、これによって、ドラムユニットＵは安定した状態で作業部１２ａに支持されるように設定され、後述するように、作業部１２ａの上動操作に基づいてドラムユニットＵの上動作動をする場合に、ドラムユニットＵの落下防止がなされて円滑に上動させることができるように設定されている。
【００１３】
そして、ドラムユニットＵがフォークリフト１２によりある程度上動した段階（例えばアングル材８配設位置の下方近傍部位まで持ち上げられた状態）で、本発明の調整手段に相当し、開口部上方に固定されるチェーンブロック１３の作動チェーン１３ａをドラムユニットＵに巻き掛ける（図６の仮想線参照）。前記作動チェーン１３ａは、フォークリフト１２による持ち上げ部（支持部）の左右外側部（持ち上げ部の左右両側に所定間隙を存する部位）に位置して巻き掛けられる。このとき、作動チェーン１３ａが巻き掛けられる部位には、予め養生材１３ｃが巻き付けられるように設定され、これによって、後述するように、操作チェーン１３ｂの操作に基づいてドラムユニットＵの位置調整、あるいは、補助的な吊り上げ作業をする場合に、シャッターカーテン１の保護が図れるように設定されている。
また、ドラムユニットＵは、前述したように、カーテンユニットＣ部位をフォークリフト１２およびチェーンブロック１３とにより姿勢調整しながら持ち上げられることになり、このとき、カーテンユニットＣに設けられる支持ブラケット３は巻き取りドラム２に対して相対回転することが考えられるが、支持ブラケット３はカーテンユニットＣの重量バランスを崩すような重さではないので、ドラムユニットＵの前記支持姿勢を変えることはない。
尚、１４はチェーンブロック１３の操作チェーン１３ｂを操作する作業員が搭乗する上下移動自在なバケットであって、該バケット１４には複数の作業員が搭乗することも可能であり、フォークリフト１２の上動位置にあわせて適宜上下動操作することができる。
また、本実施の形態では、調整手段としてチェーンブロックを用いているが、ホイスト等の巻き上げ装置を用いる構成としてもよい。
【００１４】
このように、ドラムユニットＵは、アングル材８の下方近傍部位まで上動した状態において、フォークリフト１２とチェーンブロック１３とがセットされ、これ以降、フォークリフト１２と左右のチェーンブロック１３とをそれぞれのオペレータが操作しながら、ドラムユニットＵの支持ブラケット３の上下係止片３ｂ、３ｃが、それぞれ躯体側面から突出するアングル材８の他方片部８ｂよりも上位に位置する所定の上動位置にまで上動させる。この上動状態において、ドラムユニットＵは、フォークリフト１２による持ち上げを、該持ち上げ部（支持部）の左右外側部においてチェーンブロック１３が補助的に吊り上げ状に支持される状態となっていて、三箇所においてそれぞれ支持された安定した支持状態になっている。さらには、チェーンブロック１３の操作チェーン１３ｂを操作することにより、ドラムユニットＵの姿勢（位置）を調整することができ、所定の上動位置にまでの持ち上げる操作（上動作動）を、安定した姿勢を保持した状態で、しかも、円滑に作業性よく行うことができるように設定されている。そのうえ、チェーンブロック１３によるドラムユニットＵの姿勢調整は、フォークリフト１２により持ち上げられた状態のドラムユニットＵに対して補助的に吊り上げた状態でなされるので、ドラムユニットＵが重量化しても、姿勢調整の作業（操作チェーン１３ｂの操作）に大きな力が必要になることがなく、調整作業を小さい力で容易に行うことができて、高所作業でありながら作業性の一層の向上が図れて作業員数が少なくても対応できるように構成されている。
【００１５】
前記所定位置への上動状態において、支持ブラケット３はアングル材８の手前側に位置しており、この状態から、フォークリフト１２を前進させてドラムユニットＵをアングル材８側に変位させることにより、ドラムユニットＵの上下係止片３ｂ、３ｃと、アングル材他方片部８ｂとが上下方向に対向する状態とする。続いて、作業部１２ａを僅かに下動させることにより、図７に示すように、上下係止片３ｂ、３ｃをアングル材他方片部８ｂに載置する状態とする。この状態では、上下係止片３ｂ、３ｃが各アングル材他方片部８ｂに上側から係止する状態となって、ドラムユニットＵがアングル材８に仮保持状に支持されるように設定されている。そして、この仮保持状態において、アングル材他方片部８ｂと係止片３ｂ、３ｃとをそれぞれ溶着することで、ドラムユニットＵのアングル材８への固定作業が完了する。
【００１６】
そして、支持ブラケット３をアングル材８に係止させる作業において、チェーンブロック１３の操作チェーン１３ｂを操作することにより、ドラムユニットＵの左右両端部の上下方向位置、左右方向位置を微調整することができるが、該微調整は、前述したように、フォークリフト１２により持ち上げられた状態のドラムユニットＵに対して行うので小さい力でよく、これによって、高所作業でありながら、上下係止片３ｂ、３ｃとアングル材他方片部８ｂとの係止作業を、少ない作業員数で円滑、かつ、作業性よく、しかも、精度よく行うことができるように構成されている。
尚、左右の支持ブラケット３は、巻き取りドラム２の回転軸２ａに対して相対回転自在に設けられているので、ドラムユニットＵを上動させる状態では、回転軸２ａに対して自由に回転して、上下係止片３ｂ、３ｃが上下に位置する状態が保持されるとは限らないが、この場合では、所定の上動位置に達した状態でドラムユニットＵ自体の姿勢を変えることなく、支持ブラケット３を回転させることで、上下係止片３ｂ、３ｃを簡単にアングル材８に対向させることができ、ドラムユニットＵの取り付け作業を一層容易に行うことができるように設定されている。
【００１７】
そして、このようにドラムユニットＵを組み込んだ後は、図１において、図面向かって左側の支持ブラケット３に、開閉機４が組み込まれた支持プレート４ａを螺子止め、および、溶着することにより固定するとともに、開閉機４の駆動スプロケット４ｂと従動スプロケット３ｅとの間に伝動チエン４ｃを巻回することにより、開閉機４と巻き取りドラム２とを連動連結する。さらに、シャッターカーテン１下端部に座板１ｃの連結、開口部の左右両側面にガイドレール５を立設、開口部の上部にまぐさ１５を固定、開口部上部の部材を覆蓋するようにシャッターケース６の固定等、必要な部材の組み込みを行い、さらには、電気的な配線等、必要な作業が順次なされるように設定されている。
【００１８】
叙述の如く構成された本形態において、工場において、巻き取りドラム２にシャッターカーテン１を巻装してカーテンユニットＣを形成し、このものを、他の取り付け部材とともに工場から設置現場に移送する構成としたので、工場から現場への搬送が容易になる。そして、設置現場でカーテンユニットＣに支持ブラケット３を組み込んでドラムユニットＵとし、該ドラムユニットＵを、フォークリフト１２により持ち上げるのを、チェーンブロック１３で姿勢調整しつつ所定の位置にまで持ち上げる構成としたので、天井や梁等があって従来のもののようにクレーンを用いることができないような現場であっても、重量の大きいドラムユニットＵを容易に上動させて躯体に取り付けることができて、汎用化を図ることができる。
さらに、このものでは、巻き取りドラム２と、該巻き取りドラム２に巻装したシャッターカーテン１と、巻き取りドラム２の左右両端部の支持ブラケット３とによりドラムユニットＵを構成し、該ドラムユニットＵを、フォークリフト１２による持ち上げと、該フォークリフト１２による持ち上げ部の左右外側部にそれぞれ配した一対のチェーンブロック１３による姿勢調整しながらの吊り上げとにより、持ち上げ作動が補助される状態で上動するようにしたので、従来の吊り下げるだけの状態で上動させる場合よりも、姿勢が安定して位置決めが容易になるばかりでなく、ドラムユニットＵが長いものであっても安定した姿勢を保持した状態で、しかも、円滑に上動させることができる。そのうえ、ドラムユニットＵは、支持ブラケット３を躯体側面のアングル材８に支持させる構成としたので、躯体への固定作業が容易になり、ドラムユニットＵを精度よく躯体に取り付けることができるばかりでなく、取り付けの作業時間を短縮することができる。
しかも、このものにおいて、フォークリフト１２によりドラムユニットＵを持ち上げた状態において、チェーンブロック１３による操作がなされるので、チェーンブロック１３の操作に基づくドラムユニットＵの姿勢調整を、小さい力で行うことができて、高所作業でありながら少ない作業員でも作業性よく調整することができる。
【００１９】
そのうえ、本発明が実施されたものにあっては、持ち上げ手段としてフォークリフト１２を用い、ドラムユニットＵの持ち上げられた姿勢を調整しながら持ち上げ状態を補助する手段としてチェーンブロックを用いる構成としたので、本発明の取り付け方法を、汎用性の高い装置を用いて簡単に実現することができる。
【００２０】
また、このものにおいて、ドラムユニットＵに設けられ、躯体側面に固定されたアングル材８に係止するための支持ブラケット３は、巻き取りドラム２に相対回転自在に設けられているので、支持ブラケット３の上下係止片３ｂ、３ｃをアングル材８に対向する姿勢に矯正する作業を、ドラムユニットＵの姿勢を変えることなく容易に行うことができ、シャッター装置の取り付けを一層作業性よく行うことができる。
【図面の簡単な説明】
【００２１】
【図１】重量シャッターの概略正面図である。
【図２】重量シャッターの開口部側からの概略側面図である。
【図３】図３（Ａ）、（Ｂ）はそれぞれガイドレールの取り付け状態を説明する平面図、図３（Ａ）のＸ−Ｘ断面図である。
【図４】図４（Ａ）、（Ｂ）はそれぞれ要部における正面図、図４（Ａ）の側面図である。
【図５】ドラムユニットの荷降ろし状態を説明する斜視図である。
【図６】ドラムユニットの上動作動を説明する斜視図である。
【図７】ドラムユニットのアングル材への取り付け状態を説明する斜視である。
【符号の説明】
【００２２】
１    シャッターカーテン
２    巻き取りドラム
２ａ    回転軸
３    支持ブラケット
３ｂ    係止片
３ｄ    軸受けユニット
４    開閉機
７    補助プレート
８    アングル材
１０    移送用台車
１１    落下防止台
１２    フォークリフト
１３    チェーンブロック
１４    バケット
Ｕ    ドラムユニット
【図１】
2008208532.tif 000003
【図２】
2008208532.tif 000004
【図３】
2008208532.tif 000005
【図４】
2008208532.tif 000006
【図５】
2008208532.tif 000007
【図６】
2008208532.tif 000008
【図７】
2008208532.tif 000009